(57)【要約】【課題】  ズーミングによる撮像範囲の変化に対応でき、かつ、簡易な構造で、自分撮り時において撮像範囲を確認可能な撮像装置を提供する。【解決手段】  デジタルカメラ１０の画角θをθ１とし、撮影範囲ＥをＥ１とする。移動部材７２は、光源７４の視認可能角度αがα１となる位置Ｐ１に配置されている。また、視認可能角度α１は画角θ１とほぼ一致するように設定されている。ユーザーによりズームキー２６からＴｅｌｅのズーミング指示が入力された場合には、入力に応じて撮像用レンズ１４の画角が小さくなると共に、移動部材７２は通路７０の奥側へ移動される。そして、撮像用レンズ１４の画角がθ２に変化したのであれば、視認可能角度が画角θ２とほぼ一致するα２となる位置Ｐ２に移動部材７２は配置される。【選択図】  図４
2005258335.tif 000002
【特許請求の範囲】
【請求項１】
ズーム機能を備えた撮像用レンズと、
前記撮像用レンズのズーム駆動により変化する画角に応じて、この画角範囲内のみから視認可能とされた撮影範囲確認部材と、
を備えた撮像装置。
【請求項２】
前記撮影範囲確認部材は、光を出射する光源を含んで構成されることを特徴とする請求項１に記載の撮像装置。
【請求項３】
前記光源から出射される光の色を前記画角の変化に応じて変化させる色変化手段をさらに備えたことを特徴とする請求項２に記載の撮像装置。
【請求項４】
ズーム機能を備えた撮像用レンズと、
見る角度によって色が変化する色変化部材と、
前記撮像用レンズのズーム駆動により変化する画角に応じて異なる色を出力し、出力する色が前記色変化部材を前記画角内の角度から見た色に対応した色とされた色出力手段と、
を備えた撮像装置。
【発明の詳細な説明】
【技術分野】
【０００１】
本発明は、撮像装置に係り、特に、ズーム機能を備えた撮像装置に関する。
【背景技術】
【０００２】
デジタルカメラなどの撮像装置で、ユーザーは自分自身を被写体とするいわゆる自分撮りを行う場合がある。この自分撮りを行う場合、通常の撮像装置では、ユーザーは撮像装置の背面側にあるファインダを覗くことができず、撮像範囲を確認することができない。
【０００３】
そこで、撮像レンズを液晶ディスプレイ（以下「ＬＣＤ」という）側へ回転させて、ＬＣＤを見ながら自分撮りを行うことのできる撮像装置が開発されている。しかしながら、撮像レンズを回転させる機構を設けると、撮像装置が複雑な構造になってしまう。
【０００４】
一方、簡易な構造で撮影範囲を確認可能な撮像装置として、特許文献１に記載のように、撮像装置の前面から撮像範囲内に光を出射して撮像範囲を確認するものが提案されている。しかしながら、特許文献１に記載の技術では、撮像レンズとしてズームレンズを使用している場合に、ズーミングによる撮像範囲の変化に対応できないという問題があった。
【特許文献１】特開２０００−１４７６３１号公報
【発明の開示】
【発明が解決しようとする課題】
【０００５】
本発明は、上記事実を考慮して成されたものであり、ズーミングによる撮像範囲の変化に対応でき、かつ、簡易な構造で、自分撮り時において撮像範囲を確認可能な撮像装置を提供することを目的とする。
【課題を解決するための手段】
【０００６】
上記課題を解決するために、請求項１に記載の撮像装置は、ズーム機能を備えた撮像用レンズと、前記撮像用レンズのズーム駆動により変化する画角に応じて、この画角範囲内のみから視認可能とされた撮影範囲確認部材と、を含んで構成されている。
【０００７】
上記撮像装置では、撮影範囲確認部材は、ズーム駆動により変化する画角に応じて、この画角範囲内のみから視認可能とされている。したがって、ユーザーは、自分撮りを行う場合に、この撮影範囲確認部材が見えれば撮影範囲内であり、見えなければ撮影範囲外であることを確認することができる。この撮像装置によれば、画角に応じて移動する撮影範囲確認部材を設けるだけの簡易な構造で、ズーミングにより変化する撮影範囲の変化にも対応して、自分撮り時に撮影範囲を確認することができる。
【０００８】
なお、本発明の撮像装置は、請求項２に記載のように、前記撮影範囲確認部材が、光を出射する光源を含んで構成されていることを特徴とすることができる。
【０００９】
この構成によれば、撮影範囲確認部材から光が出射されるので、撮影範囲確認部材を容易に視認することができる。
【００１０】
また、本発明の撮像装置は、請求項３に記載のように、前記光源から出射される光の色を前記画角の変化に応じて変化させる色変化手段をさらに備えたことを特徴とすることもできる。
【００１１】
この構成によれば、ユーザーは、変化する画角の現在の状態を光源の色によって認識することができる。
【００１２】
請求項４に記載の撮像装置は、  ズーム機能を備えた撮像用レンズと、見る角度によって色変化される色変化部材と、前記撮像用レンズのズーム駆動により変化する画角に応じて異なる色を出力し、出力する色が前記色変化部材を前記画角内の角度から見た色に対応した色とされた色出力手段と、を含んで構成されている。
【００１３】
この撮像装置は、見る角度によって色が変化する色変化部材を備えている。また、色出力手段は、撮像用レンズのズーム駆動により変化する画角に応じて異なる色を出力し、出力する色は色変化部材を画角内の角度から見た色に対応した色とされている。したがって、ユーザーは、自分撮りの時に、色変化部材と色出力手段から出力された色とをみて、自分が画角内にいるか画角外に出ているかを判断することができる。
【００１４】
請求項４の撮像装置によれば、色変化部材と色出力手段を設けるだけの簡易な構造で、ズーミングにより変化する撮影範囲の変化にも対応して、自分撮り時に撮影範囲を確認することができる。
【発明の効果】
【００１５】
以上説明したように、本発明の撮像装置によれば、ズーミングによる撮像範囲の変化に対応でき、かつ、簡易な構造で、自分撮り時において撮像範囲を確認することができる。
【発明を実施するための最良の形態】
【００１６】
［第１実施形態］
以下、図面を参照して本発明の撮像装置の最良の実施形態について説明する。本実施形態では、撮像装置としてデジタルカメラを例に説明する。
【００１７】
本実施形態のデジタルカメラ１０は、図１（Ａ）に示すように、筐体１２を備え、前面に撮像用レンズ１４、ファインダ窓２０Ａ、撮影範囲確認部１５、上面にレリーズボタン１６を備える。また、図１（Ｂ）に示すように、背面に液晶ディスプレイ（以下「ＬＣＤ」という）１８、ファインダ２０Ｂ、電源ＳＷ２２、ズームキー２４、及びその他各種の入力を行うための入力キー２６を備える。
【００１８】
撮像用レンズ１４はズーム機能を有し、焦点距離が可変とされている。
【００１９】
撮影範囲確認部１５は、図２に示すように、筐体１２が凹状とされて形成された通路７０、移動部材７２、及び光源７４を備える。光源７４は移動部材７２の前面側に配置され、入力キー２６からの指示により点灯可能とされている。移動部材７２は、後述する移動部材駆動部２８（図３参照）により通路７０に沿ったＸ方向に移動可能とされている。移動部材７２は、ズームキー２４から入力されるズーミングの量に応じて所定の位置に移動される。
【００２０】
図３にデジタルカメラ１０の制御系の概略ブロック図を示す。デジタルカメラ１０には、撮像用レンズ１４を通過する光量を調整する絞り３２、光の通過時間を調整するシャッタ３４、及び、光を光電変換してアナログ画像信号を出力するＣＣＤ３６が備えられている。
【００２１】
ＣＣＤ３６はアナログ信号処理部３８と接続され、アナログ信号処理部３３８はアナログ／デジタル変換器（以下、「Ａ／Ｄ変換器」という）４０と接続され、Ａ／Ｄ変換器４０はデジタル信号処理部４２と接続されている。アナログ信号処理部３８は、ＣＣＤ３６から入力された信号に対して所定のアナログ信号処理を施す。Ａ／Ｄ変換器４０は、アナログ信号処理部３８から入力されたアナログ信号をデジタル信号に変換してデジタル信号処理部４２へ出力する。デジタル信号処理部３２は、入力されたデジタル信号に対して各種の処理を行い、デジタル画像データを生成する。
【００２２】
また、デジタルカメラ１０には、ＣＰＵ５０、内部メモリ５２、表示制御部５４、記録制御部５６が備えられている。前述のデジタル信号処理部３２、ＣＰＵ５０、内部メモリ５２、表示制御部５４、記録制御部５６は、バス５９を介して相互に接続されている。
【００２３】
ＣＰＵ５０は各種のプログラムを実行するなどしてデジタルカメラ１０全体の制御を行う。ＣＰＵ５０は、電源ＳＷ２２、ズームキー２４、入力キー２６、レリーズボタン１６、と接続されており、これらの各部から各種の指示が入力される。
【００２４】
また、ＣＰＵ５０は移動部材駆動部２８及び光源７４と接続されている。移動部材駆動部２８は、ＣＰＵ５０からの指示により、移動部材７２を所定の位置へ移動可能とされている。光源７４はＣＰＵ５０からの指示により点灯及び消灯する。
【００２５】
さらに、デジタルカメラ１０には、撮像用レンズ１４を駆動させるためのレンズ駆動部６２、絞り３２を駆動させるための絞り駆動部６４、シャッタ３４を駆動させるためのシャッタ駆動部５６、及び、ＣＣＤ３６に対する撮影時のタイミング制御を行うＣＣＤ制御部６８が備えられている。レンズ駆動部６２、絞り駆動部６４、シャッタ駆動部６６、及び、ＣＣＤ制御部６８は、ＣＰＵ５０と接続されている。レンズ駆動部６２は、ズームキー２４から入力されるズーミング量に応じて撮像用レンズ１４の焦点距離を変える。これにより、撮像用レンズ１４の画角θも変化して撮像範囲も変化する。
【００２６】
次に、本実施形態の作用について説明する。
【００２７】
ユーザーが電源ＳＷ２２から電源オンを入力すると、デジタルカメラ１０の電源がオンされ、ＣＰＵ５０からレンズ駆動部６２へレンズ駆動の指示がなされ、撮像用レンズ１４が筐体１２の外側へ突出される。このときの撮像用レンズ１４の焦点距離は、予め設定された初期の焦点距離Ｆ１とされている。
【００２８】
デジタルカメラ１０で自分撮りをする際には、入力キー２６から、光源７４の点灯を入力する。ＣＰＵ５０は、この入力により光源７４に点灯の指示を出力する。これにより、光源７４が点灯される。そして、ユーザーは、デジタルカメラ１０の撮像用レンズ１４を自分に向ける。焦点距離がＦ１のときのデジタルカメラ１０の画角θをθ１とし、撮影範囲ＥをＥ１とする。そして、移動部材７２は、図４（Ａ）に示すように、光源７４の視認可能角度αがα１となる位置Ｐ１に配置されている。すなわち、ユーザーは、α１の範囲内からのみ光源７４を見ることができる。また、視認可能角度α１は画角θ１とほぼ一致するように設定されている。したがって、ユーザーは、光源７４の見える範囲内であれば、撮影範囲Ｅ１内であると確認することができる。
【００２９】
また、ユーザーがズーミングを行う際には、ズームキー２４から指示を入力する。ＣＰＵ５０は、この入力によりレンズ駆動部６２に撮像用レンズ１４を駆動させる指示を出力する。これにより撮像用レンズ１４の焦点距離が変化する。また、ＣＰＵ５０は同時に、移動部材駆動部２８に移動部材７２を移動させる指示を出力する。これにより移動部材７２も移動されて、焦点距離の変化に応じて変化する撮影範囲内のみから光源７４が見える位置に配置される。
【００３０】
例えば、ユーザーによりズームキー２６からＴｅｌｅのズーミング指示が入力された場合には、入力に応じて撮像用レンズ１４の画角が小さくなると共に、移動部材７２は通路７０の奥側へ移動される。そして、図４（Ｂ）に示すように、撮像用レンズ１４の画角がθ２に変化したのであれば、視認可能角度が画角θ２とほぼ一致するα２となる位置Ｐ２に移動部材７２は配置される。したがって、ユーザーは、光源７４の見える範囲内であれば、撮影範囲Ｅ２内であると確認することができる。
【００３１】
また、ユーザーによりズームキー２６からＷｉｄｅのズーミング指示が入力された場合には、入力に応じて撮像用レンズ１４の画角が大きくなると共に、移動部材７２は通路７０の手前側へ移動される。そして、図４（Ｂ）に示すように、撮像用レンズ１４の画角がθ３に変化したのであれば、視認可能角度が画角θ３とほぼ一致するα３となる位置Ｐ３に移動部材７２は配置される。したがって、ユーザーは、前記と同様に、光源７４の見える範囲内であれば、撮影範囲Ｅ３内であると確認することができる。
【００３２】
なお、本実施形態では、光源７４がら一定の色の光を出射させているが、撮像用レンズ１４の画角に応じて異なる色の光を出射させてもよい。このように画角に応じて異なる色の光を出射させることにより、ユーザーは、現状の画角を認識することができる。
【００３３】
また、本実施形態では、視認対象物として光源７４を用いたが、視認対象物としては、必ずしも光源を用いる必要はない。特に、本実施形態のように光源を用いることにより、視認対象物を容易に視認することができる。
【００３４】
また、本実施形態では、光源７４は、ユーザーからの点灯指示が入力されることにより点灯する構成としたが、タリーランプを光源７４としてを用いることもできる
また、本実施形態では、視認対象物としての光源７４が移動する構成で説明したが、図５に示すように、光源７４は筐体１２の前面に固定しておき、光源７４を囲むように設けられた筒状の移動筒７６を筐体１２の法線方向Ｘに移動させることにより、光源７４の視認可能角度αを変化させることもできる。
【００３５】
［第２実施形態］
次に、第２実施形態について説明する。
【００３６】
本実施形態では、第１実施形態と同様の部分については同一の符号を付して詳細な説明は省略する。
【００３７】
本実施形態のデジタルカメラ８０は、図６に示すように、第１実施形態のデジタルカメラ１０に備えられていた撮影範囲確認部１５に代えて、前面に、色変化シート８２及びインジケータ８４を備える。
【００３８】
色変化シート８２は、図７に示すように、見る角度によって色の変化する部材で構成されている。本実施形態では、２０°毎に、赤色Ｒ、黄色Ｙ、緑色Ｇ、青色Ｂ、紫色Ｐ、の各色に見えるように加工されている。
【００３９】
インジケータ８４は、撮像用レンズ１４のズーム駆動により変化する画角に応じて異なる光の色（以下この光の色を「対比色Ｃ」という）を出力可能とされている。また、この対比色Ｃとしては、撮像用レンズ１４の画角内の角度から色変化シート８２を見た場合の色変化シート８２の色に対応した色とされている。例えば、デジタルカメラ８０の画角が１８°の場合には、インジケータ８４からは対比色Ｃとして紫色Ｐが出力され、デジタルカメラ８０の画角が１２０°の場合には、インジケータ８４からは対比色Ｃとして黄色Ｙが出力される。
【００４０】
なお、本実施形態では、インジケータ８４から１色のみの対比色Ｃが出力される例について説明するが、インジケータ８４から複数の対比色Ｃを同時に出力し、画角θ内の角度から色変化シート８２を見た場合のすべての色を対比色Ｃとして出力するようにしてもよい。
【００４１】
図８にデジタルカメラ８０の制御系の概略ブロック図を示す。デジタルカメラ８０は、第１実施形態の移動部材駆動部２８、光源７４、移動部材７２に代えて、インジケータ８４がＣＰＵ５０と接続されている。インジケータ８４は、ＣＰＵ５０からの指示により所定の対比色Ｃを出力可能とされている。その他の構成については、第１実施形態のデジタルカメラ１０と同様である。
【００４２】
次に本実施形態の作用について説明する。
【００４３】
ユーザーが電源ＳＷ２２から電源オンを入力すると、デジタルカメラ１０の電源がオンされ、ＣＰＵ５０からレンズ駆動部６２へレンズ駆動の指示がなされ、撮像用レンズ１４が筐体１２の外側へ突出される。このときの撮像用レンズ１４の焦点距離は、予め設定された初期の焦点距離Ｆ１とされている。
【００４４】
デジタルカメラ１０で自分撮りをする際には、ユーザーは、デジタルカメラ１０の撮像用レンズ１４を自分に向ける。図９（Ａ）に示すように、焦点距離がＦ１のときのデジタルカメラ１０の画角θを９０°とし、撮影範囲ＥをＥ１とする。インジケータ８４からは、画角９０°に対応する対比色Ｃ＝緑色Ｇが出力される。したがって、ユーザーは、色変化シート８２が緑色Ｇより内側の角度の色（紫色Ｐ、青色Ｂ、緑色Ｇ）に見える位置は撮影範囲Ｅ１内であり、それ以外の色に見えるときにはその位置が撮影範囲Ｅ１外であることを確認することができる。
【００４５】
ユーザーがズーミングを行う際には、ズームキー２４から指示を入力する。ＣＰＵ５０は、この入力によりレンズ駆動部６２に撮像用レンズ１４を駆動させる指示を出力する。これにより撮像用レンズ１４の焦点距離が変化する。また、ＣＰＵ５０は同時に、インジケータ８４に変化する画角θに対応する対比色Ｃを出力する指示をする。これによりインジケータ８４からは変化した画角θに対応した対比色Ｃが出力される。
【００４６】
例えば、ユーザーによりズームキー２６からＴｅｌｅのズーミング指示が入力され、図９（Ｂ）の二点鎖線で示すように画角θが３０°とされ、このときの撮影範囲をＥ２とすると、インジケータ８４からは対比色Ｃとして青色Ｂが出力される。これにより、ユーザーは、色変化シート８２が青色Ｂよりも内側の角度の色（青色Ｂ、紫色Ｐ）に見える位置は撮影範囲Ｅ２内であり、それ以外の色に見えるときにはその位置が撮影範囲Ｅ２外であることを確認することができる。
【００４７】
また、ユーザーによりズームキー２６からＷｉｄｅのズーミング指示が入力され、図９（Ｂ）に一点鎖線で示すように、画角θが１２０°とされ、このときの撮影範囲をＥ３とすると、インジケータ８４からは対比色Ｃとして黄色Ｙが出力される。これにより、ユーザーは、色変化シート８２が黄色Ｙより内側の角度の色（紫色Ｐ、青色Ｂ、緑色Ｇ、黄色Ｙ）に見える位置は撮影範囲Ｅ３内であり、それ以外の色に見えるときにはその位置が撮影範囲Ｅ３外であることを確認することができる。
【００４８】
なお、上記第１、第２実施形態では、撮像装置としてデジタルカメラを例に説明したが、本発明は、他に、カメラ付き携帯電話、デジタルビデオカメラなどのあらゆる撮像装置に適用することができる。
【図面の簡単な説明】
【００４９】
【図１】第１実施形態のデジタルカメラの（Ａ）は前面図であり、（Ｂ）は背面図である。
【図２】第１実施形態のデジタルカメラの撮影範囲確認部を示す図である。
【図３】第１実施形態のデジタルカメラの制御系の概略ブロック図である。
【図４】第１実施形態のデジタルカメラの撮影範囲と光源の視認可能角度との関係を示す図である。
【図５】第１実施形態のデジタルカメラの撮影範囲確認部の変形例を示す図である。
【図６】第２実施形態のデジタルカメラの（Ａ）は前面図であり、（Ｂ）は背面図である。
【図７】第２実施形態の色変化シートの見る角度による色の変化を説明する図である。
【図８】第２実施形態のデジタルカメラの制御系の概略ブロック図である。
【図９】第２実施形態のデジタルカメラの撮影範囲と色変化部材の色との関係を示す図である。
【符号の説明】
【００５０】
１０  デジタルカメラ（撮像装置）
１４  撮像用レンズ
１５  撮影範囲確認部
７４  光源（撮影範囲確認部材）
８０  デジタルカメラ（撮像装置）
８２  色変化シート（色変化部材）
８４  インジケータ（色出力手段）
Ｅ    撮影範囲
θ    画角
【図１】
2005258335.tif 000003
【図２】
2005258335.tif 000004
【図３】
2005258335.tif 000005
【図４】
2005258335.tif 000006
【図５】
2005258335.tif 000007
【図６】
2005258335.tif 000008
【図７】
2005258335.tif 000009
【図８】
2005258335.tif 000010
【図９】
2005258335.tif 000011